(57)【要約】  【課題】駆動ピンによって同時に相反する方向へ回転させられるフィルタ羽根とバランス羽根とを備えているが、フィルタ羽根に取り付けたフィルタ板に傷が付かないようにしたカメラ用フィルタ装置を提供すること。  【解決手段】フィルタ羽根１４は、一方の面に、その開口部１４ａを覆うようにしてフィルタ板１６を取り付けていて、地板１１に立設された羽根取付軸１１ｃに回転可能に取り付けられている。逃げ孔１５ａを有しているバランス羽根１５は、フィルタ羽根１４の上記の一方の面側に重なるように配置されていて、地板１１に立設された羽根取付軸１１ｄに回転可能に取り付けられている。フィルタ羽根１４とバランス羽根１５は、駆動ピン１７ｂによって同時に相反する方向へ往復回転させられるが、フィルタ板１６は、常に逃げ孔１５ａの領域内に存在するため、バランス羽根１５には摺接せず、傷を付けられるようなことがない。【選択図】  図４
2010054996.tif 000002
【特許請求の範囲】
【請求項１】
地板に対して回転可能に取り付けられており往復回転させられることによって露光開口に進退させる開口部と前記地板への取付部の近傍に形成された長孔とを有していて一方の面には該開口部を覆うようにしてフィルタ板を取り付けているフィルタ羽根と、前記フィルタ羽根の前記一方の面側に重なるようにして前記地板に対して回転可能に取り付けられており少なくとも前記フィルタ羽根の前記開口部と作動上重なる領域に形成された逃げ孔と前記地板への取付部の近傍に形成された長孔とを有していて前記フィルタ羽根とは慣性モーメントが略同じになるように形成されているバランス羽根と、前記フィルタ羽根の前記長孔と前記バランス羽根の前記長孔との両方に挿入された駆動ピンを有していて該駆動ピンを往復作動させることによって前記フィルタ羽根と前記バランス羽根を相反する方向へ往復回転させ前記フィルタ板で覆われている前記開口部を前記露光開口に進退させる駆動手段と、を備えていることを特徴とするカメラ用フィルタ装置。
【請求項２】
前記フィルタ板は、ＮＤフィルタ板であって、前記フィルタ羽根には、少なくとも１箇所で熱溶着されていることを特徴とする請求項１に記載のカメラ用フィルタ装置。
【請求項３】
前記フィルタ板は、前記フィルタ羽根に対し、前記開口部の径方向の１箇所で取り付けられており、その取付部とは前記開口部を間にしている部位が、前記逃げ孔の周辺近傍領域と常に接触し得るようにされていることを特徴とする請求項１又は２に記載のカメラ用フィルタ装置。
【発明の詳細な説明】
【技術分野】
【０００１】
本発明は、フィルタ羽根を回転させて露光開口に進退させるようにしたカメラ用フィルタ装置に関する。
【背景技術】
【０００２】
下記の特許文献１には、地板に対して回転可能に取り付けられていて駆動ピンの往復作動によって露光開口に進退させられる１枚の羽根のほか、地板に対して回転可能に取り付けられていて上記の駆動ピンの往復作動によって上記の羽根とは相反する方向へ同時に回転させられるバランス羽根（特許文献１ではバランス板）を設けるようにしたカメラ用羽根駆動装置が記載されている。そして、このカメラ用羽根駆動装置は、羽根が、露光開口に進入してストッパに当接したときにも、また、露光開口から退避してストッパに当接したときにも、バランス羽根の存在によってバウンドが抑制され好適に停止させられるので、露光開口の全開状態において、羽根を露光開口に近接して配置することが可能になり、地板の平面面積を小さくして、装置の小型化が可能になるという利点を有している。
【０００３】
また、特許文献１には、このような構成をしたカメラ用羽根駆動装置は、シャッタ装置やレンズバリア装置とすることが可能であるが、羽根の形状や構成を変えることによって絞り装置にすることも、フィルタ装置にすることも可能であって、フィルタ装置にする場合は、上記の羽根に円形の開口部（露光開口より小さいのが普通であるが、略同じ大きさにすることもある）を形成し、その開口部を覆うようにフィルタ板を取り付けたものをフィルタ羽根にすればよいことが記載されている。本発明は、そのように、開口部を覆うようにしてフィルタ板を取り付けたフィルタ羽根と、上記のようなバランス羽根とを備えていて、それらを、駆動ピンの往復作動によって相反する方向へ回転させるようにしたカメラ用フィルタ装置に関するものである。
【０００４】
【特許文献１】特開２００７−３３６０２号公報
【発明の開示】
【発明が解決しようとする課題】
【０００５】
ところで、フィルタ装置を特許文献１に記載されているように構成した場合は、フィルタ羽根は、駆動ピンによって往復回転させられるとき、地板などの羽根室を構成している部材に摺接することになるため、何らかの対策を講じておかないと、フィルタ板の表面が傷付けられてしまうことになる。そのため、従来から、このような構成をしているフィルタ羽根を使用する場合は、羽根室を構成している部材を、フィルタ板にだけは接触し得ない形状にするようにしている。しかしながら、羽根室を構成している部材は、フィルタ装置を構成している部材の中でも極めて大きな部材であって、複雑な形状をしているのが普通であることから、部品精度やコストのことを考えると、フィルタ板を傷付けないようにするためとはいえ、さらに複雑な形状にするのは好ましいことではない。そこで、そのような構成にしなくて済むようにするために、例えば特開２００５−９１６５６号公報に記載されているように、フィルタ羽根を、重ね合わせた３枚の部品で構成することも知られているが、そのような構成は、光軸に沿った方向の羽根室の寸法を大きくしたくないときには不都合である。
【０００６】
本発明は、このような問題点を解決するためになされたものであり、その目的とするところは、開口部を覆うようにして一方の面にフィルタ板を取り付けているフィルタ羽根と、そのフィルタ羽根のフィルタ板を取り付けている側に重ねるようにして配置されたバランス羽根とを、地板に対して回転可能に取り付けておき、駆動ピンの往復作動によってそれらの羽根を相反する方向へ回転させ、フィルタ板で覆われているフィルタ羽根の開口部を、露光開口に進退させるようにしたフィルタ装置において、羽根室を構成している部材の形状を複雑にしたり、部品点数を多くしたり、羽根室の光軸に沿った方向の寸法を大きくしたりすることなく、フィルタ板に傷が付かないようにすることを可能にしたカメラ用フィルタ装置を提供することである。
【課題を解決するための手段】
【０００７】
上記の目的を達成するために、本発明のカメラ用フィルタ装置は、地板に対して回転可能に取り付けられており往復回転させられることによって露光開口に進退させる開口部と前記地板への取付部の近傍に形成された長孔とを有していて一方の面には該開口部を覆うようにしてフィルタ板を取り付けているフィルタ羽根と、前記フィルタ羽根の前記一方の面側に重なるようにして前記地板に対して回転可能に取り付けられており少なくとも前記フィルタ羽根の前記開口部と作動上重なる領域に形成された逃げ孔と前記地板への取付部の近傍に形成された長孔とを有していて前記フィルタ羽根とは慣性モーメントが略同じになるように形成されているバランス羽根と、前記フィルタ羽根の前記長孔と前記バランス羽根の前記長孔との両方に挿入された駆動ピンを有していて該駆動ピンを往復作動させることによって前記フィルタ羽根と前記バランス羽根を相反する方向へ往復回転させ前記フィルタ板で覆われている前記開口部を前記露光開口に進退させる駆動手段と、を備えているようにする。
【０００８】
その場合、前記フィルタ板は、ＮＤフィルタ板であって、前記フィルタ羽根には、少なくとも１箇所で熱溶着されているようにすると、加工が容易であって低コスト化が可能になる。また、前記フィルタ板は、前記フィルタ羽根に対し、前記開口部の径方向の１箇所で取り付けられており、その取付部とは前記開口部を間にしている部位が、前記逃げ孔の周辺近傍領域と常に接触し得るようにすると、取付部が１箇所であっても、フィルタ板が変形せず、平面形状が維持される。
【発明の効果】
【０００９】
本発明は、開口部を覆うようにして一方の面にフィルタ板を取り付けているフィルタ羽根と、そのフィルタ羽根のフィルタ板を取り付けている側に重ねるようにして配置されたバランス羽根とを、地板に対して回転可能に取り付けておき、駆動ピンの往復作動によってそれらの羽根を相反する方向へ回転させ、フィルタ板で覆われているフィルタ羽根の開口部を、露光開口に進退させるようにしたフィルタ装置において、バランス羽根を、従来より大きくしても、逃げ孔を形成することによって慣性モーメントがフィルタ羽根と略同じになるようにすると共に、フィルタ板のうち開口部を覆っている領域が他の部材に摺接しなくなるので、従来のように、羽根室を構成している部材の形状を複雑にしたり、部品点数を多くしたり、羽根室の光軸に沿った方向の寸法を大きくしたりすることなく、フィルタ板に傷が付かないようにすることが可能になる。
【発明を実施するための最良の形態】
【００１０】
本発明の実施の形態を、図示した二つの実施例によって説明する。尚、図面は、図１〜図３が実施例１を説明するためのものであり、図４〜図６が実施例２を説明するためのものである。
【実施例１】
【００１１】
図１〜図３を用いて本実施例を説明する。尚、図１は、フィルタ羽根が撮影光路用の開口部から退いている状態を示した平面図である。また、図２は、図１における構成部材の重なり状態を示すために、図１を略上下方向に切断し、右方向から見た断面図である。更に、図３は、フィルタ羽根が撮影光路用の開口部へ進入している状態を、図１と同様に見て示した平面図である。
【００１２】
そこで先ず、図１及び図２を用いて本実施例の構成を説明する。図１の奥から手前側に向けて、いずれも平面形状の大きな地板１と、口径規制板２と、カバー板３とが順に配置されているが、図１においては、羽根室内の構成を分かり易くするために、カバー板３は、その一部だけを示してある。そして、それらの部材１，２，３には、それぞれ光軸を中心にした円形の開口部１ａ，２ａ，３ａが形成されているが、本実施例の場合は、口径規制板２に形成されている開口部２ａの直径が一番小さいため、露光開口は、この開口部２ａが規制するようになっている。尚、カバー板３の開口部３ａは、図１においては一部を二点鎖線で示してある。また、口径規制板２を配置して、その開口部２ａで露光開口を規制するようにした理由は周知である。そのため、その説明は省略する。
【００１３】
地板１は、合成樹脂製であって、平面の外形形状は円形をしているが、両面は複雑な形状をしている。即ち、図１から分かるように、この地板１のカバー板３側の面には、外周部に沿って略２００度にわたって形成されている台部１ｂと、円形の台部１ｃとが形成されているほか、二つの羽根取付軸１ｄ，１ｅと、二つのストッパ軸１ｆ，１ｇと、二つの位置決めピン１ｈ，１ｉとが立設されている。また、台部１ｂには二つのねじ穴１ｊ，１ｋが形成されているほか、位置決めピン１ｍが立設されている。更に、台部１ｃにも、ねじ穴１ｎが形成されている。
【００１４】
口径規制板２は、図２から分かるように、極めて薄い板部材であって、図１に示されているように、二つの位置決め孔２ｂ，２ｃを、上記の位置決めピン１ｈ，１ｉに嵌合させている。
【００１５】
カバー板３は、全体の外形形状を明示していないが、地板１と略同じ形状をしていて、図示していない二つの位置決め孔を、上記の位置決めピン１ｈ，１ｍに嵌合させ、上記の台部１ｂ，１ｃに載置したとき、三つの孔が上記のねじ穴１ｊ，１ｋ，１ｎに重なるようになっており、それらの三つの孔からねじを挿入し、ねじ穴１ｊ，１ｋ，１ｎに螺合させることによって、地板１に取り付けられている。図１には、それらの三つのねじのうち、一つのねじ４だけが示されている。
【００１６】
また、このカバー板３は、突出し部３ｂを形成しており、地板１に取り付けられたとき、その突出し部３ｂが口径規制板２を地板１に押し付けることによって変位不能にし、口径規制板２との間に羽根室を構成している。尚、図示していないが、カバー板３には、この突出し部３ｂと同じ役目をする部位が、少なくとも、もう１箇所形成されている。また、このカバー板３には、羽根取付軸１ｄ，１ｅの先端と、ストッパ軸１ｇの先端と、位置決めピン１ｈ，１ｉ，１ｍの先端を挿入させる夫々の孔が形成されているほか、外周部には、ストッパ軸１ｆの先端と干渉しないように切欠き部が形成されている。
【００１７】
羽根室内には、フィルタ羽根５とバランス羽根６とが配置されている。それらのうち、フィルタ羽根５は、バランス羽根６よりも地板１側に配置されており、口径規制板２の開口部２ａよりも直径の小さい開口部５ａと、上記の羽根取付軸１ｄに回転可能に嵌合させている孔５ｂと、その孔５ｂの近傍に形成されている長孔５ｃとを有している。そして、このフィルタ羽根５には、バランス羽根６側の面に、フィルタ板７が取り付けられている。本実施例の場合、フィルタ板７は、ＰＥＴ（ポリエチレンテレフタレート）の板材をプレス機で打ち抜いた後、一方の面の、一点鎖線よりも開口部５ａ側の領域にＮＤフィルタ材料を蒸着し、ＮＤフィルタ板としたものであって、その蒸着面をバランス羽根６側に向け、ＮＤフィルタ材料を蒸着していない領域の１箇所で、フィルタ羽根５に熱溶着されている。そして、図１においては、その溶着領域を長孔形状で示してある。
【００１８】
尚、本発明のフィルタ板は、このようにして製作されたものに限定されないし、フィルタ羽根への取り付け方も、本実施例の取り付け方に限定されるものではない。例えば、フィルタ板は、ＰＥＴなどの板材の両面にＮＤフィルタ材料を蒸着したものでも構わない。また、本実施例のように、ＰＥＴの一方の面にＮＤフィルタ材料を蒸着して製作した場合でも、蒸着面を開口部５ａ側にしてフィルタ羽根５に取り付けても構わない。
【００１９】
他方、バランス羽根６は、フィルタ羽根５よりもカバー板３側に配置されており、作動上、前記フィルタ羽根５の開口部５ａと重なる領域よりも一回り大きな「へ」字状の逃げ孔６ａを形成しているほか、上記の羽根取付軸１ｅに対して回転可能に嵌合させている孔６ｂと、その孔６ｂの近傍に形成されている長孔６ｃとを有している。そして、上記のフィルタ板７は、フィルタ羽根５に対する溶着部とは開口部６ａを間にした反対側の部位が、このバランス羽根６の逃げ孔６ａの周辺領域に対して常に接触し得るようになっている。また、本実施例では、作動時におけるこのバランス羽根６の慣性モーメントが、フィルタ板７を取り付けた状態におけるフィルタ羽根５の慣性モーメントと略同じになるようにしてある。
【００２０】
尚、本実施例では、逃げ孔６ａを「へ」字状に形成しているが、本発明の逃げ孔は、そのような形状に限定されるものではなく、作動上でフィルタ羽根５の開口部５ａと重なる領域よりも大きくて、且つバランス羽根６の慣性モーメントが、フィルタ板７を取り付けた状態におけるフィルタ羽根５の慣性モーメントと略同じであるならば、どのような形状をしていても構わない。また、フィルタ板７が撓むことによって、フィルタ羽根５に対する溶着部とは開口部６ａを間にして反対側になる部位が、フィルタ羽根５から離れてしまうような心配がなければ、その部位を、バランス羽根６の逃げ孔６ａの周辺領域に対して常に接触し得るようにする必要もない。しかしながら、フィルタ板７を出来るだけ薄くしたいことを考えると、本実施例のようにするのが好ましい。
【００２１】
図１において、地板１の背面側には、例えば特開２００６−２８４８００号公報にも記載されている電流制御式の電磁アクチュエータが取り付けられている。この電磁アクチュエータは、余りにもよく知られているため、詳細な図示を省略してあるが、地板１に立設されている回転子取付軸１ｐに、径方向に２極に着磁された永久磁石製の回転子８が回転可能に取り付けられており、その回転子８と一体の合成樹脂製の腕部８ａの先端に設けられた駆動ピン８ｂが、地板１と口径規制板２とに形成された図示していない長孔を貫通し、羽根室内で、フィルタ羽根５の上記長孔５ｃと、バランス羽根６の上記長孔６ｃとの両方に嵌合している。そして、回転子８は、図示していないＵ字形のヨークに嵌装されている固定子コイルに対して、電流を正方向へ供給すると、初期位置から所定の角度だけ正方向へ回転し、電流を逆方向へ供給すると、逆方向へ回転して初期位置へ復帰するようになっている。
【００２２】
尚、本実施例の電磁アクチュエータは、このような構成をしているが、電流制御式の電磁アクチュエータとしては、このほかにも、特許文献１に記載されているものも含め、種々のタイプのものが知られている。そのため、本発明の駆動ピンは、それらのいずれのタイプのものに備えられた駆動ピンでも構わないし、電流制御式の電磁アクチュエータではなく、ステップモータの回転子と一体の駆動ピンであっても構わない。更に、本発明の駆動ピンは、各種の電磁アクチュエータに備えられたものではなく、電磁アクチュエータを駆動源として、所定の角度範囲で往復回転させられる部材に設けられたものでも構わない。
【００２３】
次に、図１及び図３を用いて、本実施例の作動を説明するが、図３では、カバー板３の図示を省略してある。図１は、撮影待機状態を示したものであり、フィルタ羽根５とバランス羽根６とは、露光開口を規制している口径規制板２の開口部２ａから退いた状態になっている。このとき、電磁アクチュエータの図示していない固定子コイルには通電されていない。しかし、このとき、回転子８は永久磁石製であることから、周知のように、図示していないヨークとの間に作用する吸引力によって、時計方向へ回転する力が付与されており、フィルタ羽根５をストッパ軸１ｆに押し付けるようにして、この状態が維持されている。
【００２４】
撮影に際してレリーズボタンが押されると、先ず、測光装置の測定結果によって、被写体光を減じて撮影するか減じないで撮影するかが決定される。そして、測光装置が、被写体光を減じないで撮影すると決定した場合は、電磁アクチュエータの上記の固定子コイルには電流が供給されず、本実施例のフィルタ装置は、図１の状態のままで、撮影が行なわれる。
【００２５】
また、測光装置が、被写体光を減じて撮影すると決定した場合には、電磁アクチュエータの上記の固定子コイルに対して正方向の電流が供給される。そのため、回転子８は、図１の状態から反時計方向へ回転させられ、駆動ピン８ｂによって、フィルタ羽根５を反時計方向へ回転させ、バランス羽根６を時計方向へ回転させて、フィルタ羽根５の開口部５ａを口径規制板２の開口部２ａに進入させていく。そして、この作動中において、フィルタ板７のうち、フィルタ羽根５の開口部５ａを覆っている領域は、常にバランス羽根６の逃げ孔６ａの形成領域に対向しているので、バランス羽根６とは勿論のこと、カバー板３にも摺接するようなことがない。そのため、開口部５ａを覆っているフィルタ板７の領域に、傷が付くようなおそれは全くない。
【００２６】
このようにして、フィルタ羽根５とバランス羽根６が、同時に相反する方向へ回転させられてゆき、フィルタ羽根５の開口部５ａの中心が、口径規制板２の開口部２ａの中心に達すると、フィルタ羽根５がストッパ軸１ｇに当接する。そのため、フィルタ羽根５は、バウンドして時計方向へ回転しようとするが、バランス羽根６は依然として慣性で時計方向へ回転しようとしているので、フィルタ羽根５の時計方向の回転が抑制され、フィルタ羽根５とバランス羽根６の回転が直ちに停止させられる。図３は、その停止状態を示したものであるが、この停止状態が早期に得られるので、直ちに撮影を開始することが可能になって、撮影チャンスを逸することがなくなる。
【００２７】
撮影が終了すると、電磁アクチュエータの固定子コイルに対して、今度は逆方向の電流が供給される。そのため、回転子８は、図３の状態から時計方向へ回転させられ、駆動ピン８ｂによって、フィルタ羽根５を時計方向へ回転させ、バランス羽根６を反時計方向へ回転させて、フィルタ羽根５の開口部５ａを口径規制板２の開口部２ａから退かせていく。そして、当然のことながら、この作動中においても、フィルタ板７のうち、フィルタ羽根５の開口部５ａを覆っている領域は、バランス羽根６やカバー板３に摺接するようなことがない。
【００２８】
このようにして、フィルタ羽根５とバランス羽根６が、同時に相反する方向へ回転させられてゆき、フィルタ羽根５が、口径規制板２の開口部２ａから完全に退くと、その直後にフィルタ羽根５がストッパ軸１ｆに当接する。そのため、このときにも、フィルタ羽根５は、バウンドして反時計方向へ回転しようとするが、バランス羽根６は依然として慣性で反時計方向へ回転しようとしているので、フィルタ羽根５の反時計方向の回転が抑制され、フィルタ羽根５とバランス羽根６の回転が直ちに停止させられる。その後、固定子コイルへの通電を断った状態が、図１に示された次の撮影の待機状態である。このように、本実施例は、バウンドが抑制され、撮影待機状態が早期に得られるので、直ちに次の撮影を開始することが可能になる。また、バウンドが好適に抑制される結果、フィルタ羽根５とバランス羽根６を、口径規制板２の開口部２ａに接近させて配置することができ、地板１の大きさ、即ちフィルタ装置の平面形状を小さくすることが可能になっている。
【実施例２】
【００２９】
次に、図４〜図６を用いて実施例２を説明する。尚、図４は、フィルタ羽根が撮影光路用の開口部から退いている状態を示した平面図である。また、図５は、図４における構成部材の重なり状態を示すために、図４を略上下方向に切断し、右方向から見た断面図である。更に、図６は、フィルタ羽根が撮影光路用の開口部へ進入している状態を、図４と同様に見て示した平面図である。
【００３０】
本実施例の構成は、上記の実施例１における口径規制板２を設けないようにしたことと、実施例１のように、フィルタ羽根にフィルタ板を１箇所で取り付けるのではなく、２箇所で取り付けるようにしたものである。また、それに伴い、その他の構成部材の形状が若干異なっているが、基本的には、実施例１の場合と同じである。また、本実施例の作動は、実施例１の場合と略同じである。そのため、本実施例の説明は簡単に行うことにする。
【００３１】
上記したように、本実施例は、口径規制板を備えていない。そのため、地板１１に形成されている開口部１１ａの直径が、カバー板１２に形成されている開口部１２ａの直径よりも小さくて、露光開口を規制するようになっている。尚、図４においては、カバー板１２は、実施例１のカバー板３の場合と同様に、その一部だけを示しており、開口部１２ａの一部を二点鎖線で示してある。
【００３２】
地板１１は、カバー板１２側の面に、外周部の約２５０度にわたって一つの台部１１ｂを有しているほか、二つの羽根取付軸１１ｃ，１１ｄと、二つのストッパ軸１１ｅ，１１ｆと、一つの位置決めピン１１ｇとが立設されている。また、台部１１ｂには三つのねじ穴１１ｈ，１１ｉ，１１ｊが形成されているほか、位置決めピン１１ｋが立設されている。
【００３３】
地板１１と略同じ外形形状をしているカバー板１２は、図示していない二つの位置決め孔を、上記の位置決めピン１１ｇ，１１ｋに嵌合させ、台部１１ｂに載置したとき、三つの孔が上記のねじ穴１１ｈ，１１ｉ，１１ｊに重なるようになっており、それらの三つの孔からねじを挿入し、ねじ穴１１ｈ，１１ｉ，１１ｊに螺合させることによって、地板１１に取り付けられているが、図４には、それらの三つのねじのうち、一つのねじ１３だけが示されている。また、図示していないが、このカバー板１２には、羽根取付軸１１ｃ，１１ｄの先端と、ストッパ軸１１ｆの先端と、位置決めピン１１ｇ，１１ｋの先端を挿入させる夫々の孔が形成されているほか、外周部には、ストッパ軸１１ｅの先端と干渉しないように切欠き部が形成されている。
【００３４】
羽根室内には、フィルタ羽根１４とバランス羽根１５が配置されている。それらのうち、バランス羽根１５よりも地板１１側に配置されているフィルタ羽根１４は、地板１１の開口部１１ａと略同じ直径の開口部１４ａと、羽根取付軸１１ｃに回転可能に嵌合させている孔１４ｂと、その孔１４ｂの近傍に形成されている長孔１４ｃとを有している。そして、このフィルタ羽根１４には、バランス羽根１５側の面に、フィルタ板１６が取り付けられている。このフィルタ板１６は、ＰＥＴの板材をプレス機で打ち抜いた後、バランス羽根１５側の面の、２本の一点鎖線の間の領域にＮＤフィルタ材料を蒸着し、ＮＤフィルタ板としたものであって、その２本の一点鎖線の外側の２箇所でフィルタ羽根１４に熱溶着されている。図４においては、その溶着領域を円形で示してある。
【００３５】
他方、バランス羽根１５は、作動上、前記フィルタ羽根１４の開口部１４ａと重なる領域よりも一回り大きな逃げ孔１５ａを形成しているほか、羽根取付軸１１ｄに対して回転可能に嵌合させている孔１５ｂと、その孔１５ｂの近傍に形成されている長孔１５ｃとを有している。そして、本実施例の場合も、作動時におけるこのバランス羽根１５の慣性モーメントは、フィルタ板１６を取り付けた状態におけるフィルタ羽根１４の慣性モーメントと略同じになるようにしてある。
【００３６】
地板１１の背面側には、電流制御式の電磁アクチュエータが取り付けられているが、この電磁アクチュエータの構成は、上記の実施例１で説明した電磁アクチュエータと全く同じである。そのため、図１の場合と同様に、図４においては、地板１１の回転子取付軸１１ｍに回転可能に取り付けられている永久磁石製の回転子１７と、その回転子１７と一体化されている合成樹脂製の腕部１７ａと、その腕部１７ａの先端に設けられた駆動ピン１７ｂだけが示されている。そして、駆動ピン１７ｂは、地板１１に形成された図示していない長孔を貫通し、羽根室内で、フィルタ羽根１４の長孔１４ｃと、バランス羽根１５の長孔１５ｃの両方に嵌合している。
【００３７】
次に、図４及び図６を用いて本実施例の作動を簡単に説明する。図４は、撮影待機状態を示したものであり、フィルタ羽根１４は、露光開口を規制している地板１１の開口部１１ａから退いた状態になっている。このとき、電磁アクチュエータの図示していない固定子コイルには通電されていないが、永久磁石製の回転子１７と図示していないヨークとの間に作用する吸引力によって、フィルタ羽根１４は、ストッパ軸１１ｅに押し付けられている。
【００３８】
撮影に際してレリーズボタンが押されると、先ず、測光装置の測定結果によって、被写体光を減じて撮影するか減じないで撮影するかが決定され、被写体光を減じて撮影すると決定した場合には、電磁アクチュエータの固定子コイルに対して正方向の電流が供給される。そのため、回転子１７は、図１の状態から反時計方向へ回転させられ、駆動ピン１７ｂによって、フィルタ羽根１４とバランス羽根１５を相反する方向へ回転させて、フィルタ羽根１４の開口部１４ａ地板１１の開口部１１ａに進入させていく。この作動中において、フィルタ板１６は、常にバランス羽根１５の逃げ孔１５ａの形成領域に対向しているので、バランス羽根１５と摺接しないし、カバー板１２とも摺接しない。そのため、フィルタ板１６が傷付けられるようなことはない。
【００３９】
このように作動してゆき、フィルタ羽根１４の開口部１４ａの中心が、地板１１の開口部１１ａの中心に達すると、フィルタ羽根１４がストッパ軸１１ｆに当接する。そのため、フィルタ羽根１４は、バウンドして時計方向へ回転しようとするが、バランス羽根１５は依然として慣性で時計方向へ回転しようとしているので、フィルタ羽根１４のバウンドが抑制され、フィルタ羽根１４とバランス羽根１５の回転が停止する。図６は、その停止状態を示したものである。
【００４０】
撮影が終了すると、電磁アクチュエータの固定子コイルに対して、今度は逆方向の電流が供給されるので、回転子１７は、図６の状態から時計方向へ回転させられ、フィルタ羽根１４の開口部１４ａを駆動ピン１７ｂによって、フィルタ羽根１４とバランス羽根１５を相反する方向へ回転させ、地板１１の開口部１１ａから退かせていく。そして、この作動中においても、フィルタ板１６は、バランス羽根１５やカバー板１２に摺接しない。
【００４１】
このようにして、フィルタ羽根１４が、地板１１の開口部１１ａから退くと、その直後にフィルタ羽根１４がストッパ軸１１ｅに当接するが、このときにも、フィルタ羽根１４がバウンドしようとするのを、バランス羽根１５の回転力で抑止され、フィルタ羽根１４とバランス羽根１５との回転が停止する。その後、固定子コイルへの通電を断つと、図４に示された次の撮影の待機状態に復帰したことになる。
【００４２】
尚、上記の各実施例においては、羽根室内において、フィルタ羽根を地板側に配置し、バランス羽根をカバー板側に配置しているが、フィルタ板が両者の間に配置されるようにしさえすれば、それらの羽根の配置関係は逆であっても差し支えない。また、実施例１においては、口径規制板とカバー板の間に羽根室を構成し、実施例２においては、地板とカバー板との間に羽根室を構成しているが、本発明の羽根室は、そのような構成だけに限定されるものではない。例えば、本発明のフィルタ装置を、シャッタ装置と共に一つのユニットとして構成する場合には、周知のように、地板とカバー板の間を中間板（仕切り板ともいう）で仕切って、二つの羽根室を構成することがあるが、そのような場合においては、本発明の羽根室は、地板と中間板の間に構成された羽根室であることもあるし、中間板とカバー板との間に構成された羽根室であることもある。
【図面の簡単な説明】
【００４３】
【図１】フィルタ羽根が撮影光路用の開口部から退いている状態を示した実施例１の平面図である。
【図２】図１における構成部材の重なり状態を示した断面図である。
【図３】フィルタ羽根が撮影光路用の開口部へ進入している状態を示した実施例１の平面図である。
【図４】フィルタ羽根が撮影光路用の開口部から退いている状態を示した実施例２の平面図である。
【図５】図４における構成部材の重なり状態を示した断面図である。
【図６】フィルタ羽根が撮影光路用の開口部へ進入している状態を示した実施例２の平面図である。
【符号の説明】
【００４４】
１，１１                          地板
１ａ，２ａ，３ａ，５ａ，１１ａ，１２ａ，１４ａ  開口部
１ｂ，１ｃ，１１ｂ                台部
１ｄ，１ｅ，１１ｃ，１１ｄ        羽根取付軸
１ｆ，１ｇ，１１ｅ，１１ｆ        ストッパ軸
１ｈ，１ｉ，１ｍ，１１ｇ，１１ｋ  位置決めピン
１ｊ，１ｋ，１ｎ，１１ｈ，１１ｉ，１１ｊ   ねじ穴
１ｐ，１１ｍ                      回転子取付軸
２                                口径規制板
２ｂ，２ｃ                        位置決め孔
３，１２                          カバー板
３ｂ                              突出し部
４，１３                          ねじ
５，１４                          フィルタ羽根
５ｂ，６ｂ，１４ｂ，１５ｂ        孔
５ｃ，６ｃ，１４ｃ，１５ｃ        長孔
６，１５                          バランス羽根
６ａ，１５ａ                      逃げ孔
７，１６                          フィルタ板
８，１７                          回転子
８ａ，１７ａ                      腕部
８ｂ，１７ｂ                      駆動ピン
【図１】
2010054996.tif 000003
【図２】
2010054996.tif 000004
【図３】
2010054996.tif 000005
【図４】
2010054996.tif 000006
【図５】
2010054996.tif 000007
【図６】
2010054996.tif 000008